【手続補正書】
【提出日】平成24年3月19日(2012.3.19)
【手続補正１】
【補正対象書類名】特許請求の範囲
【補正対象項目名】全文
【補正方法】変更
【補正の内容】
【特許請求の範囲】
【請求項１】
フローチューブに取付けられ、ドライブ信号に応じて前記フローチューブを振動させるように構成されているドライバと、前記フローチューブに取付けられたピックオフセンサーとを有する、流量メータを動作させる方法であって、
前記方法が、
目標ピックオフ電圧を設定するステップと、
流量メータ温度を測定するステップと、
温度補償済み目標ピックオフ電圧を生成するステップと、
前記ドライブ信号を制御して前記温度補償済み目標ピックオフ電圧を維持するステップと、
を有する。
【請求項２】
前記温度補償済み目標ピックオフ電圧を生成するステップが、前記ピックオフセンサーの磁界強度の変化を補償することを含んでいる、請求項１記載の方法。
【請求項３】
前記方法が、前記ピックオフセンサーの磁性材料を特定するステップをさらに有しており、
前記温度補償済み目標ピックオフ電圧を生成するステップが、前記ピックオフセンサーの前記磁性材料のＢｒ係数を用いて前記目標ピックオフ電圧を調整することを含んでいる、請求項２記載の方法。
【請求項４】
前記温度補償済み目標ピックオフ電圧を生成するステップが、
（Ｂｒ温度係数×ピックオフ電圧）／（周波数）＝（チューブ振幅×磁界強度×コイル長）
で表される式を用いることを含んでいる、請求項３記載の方法。
【請求項５】
前記方法が、メータ設計温度を設定するステップをさらに有しており、測定された前記メータ温度が前記メータ設計温度のしきい値限度内にある場合には、前記温度補償済み目標ピックオフ電圧が前記目標ピックオフ電圧とほぼ等しくなる、請求項１記載の方法。
【請求項６】
前記しきい値限度は、ユーザが設定可能な値を含んでいる、請求項５に記載の方法。
【請求項７】
前記しきい値限度が、前記ピックオフセンサーに基づいて前もって決められた値を含んでいる、請求項５記載の方法。
【請求項８】
前記温度補償済み目標ピックオフ電圧を生成するステップが、メータ設計温度と測定された前記メータ温度との差に基づいて、格納されている値を検索することを含んでいる、請求項１記載の方法。
【請求項９】
フローチューブに取付けられ、ドライブ信号に応じて前記フローチューブを振動させるように構成されているドライバと、前記フローチューブに取付けられたピックオフセンサーとを有している流量メータを動作させる方法であって、
前記方法が、
目標ピックオフ電圧を設定するステップと、
流量メータ温度を測定するステップと、
測定された前記流量メータ温度をメータ設計温度と比較するステップと、
測定された前記流量メータ温度が前記メータ設計温度としきい値限度だけ異なっている場合に、温度補償済み目標ピックオフ電圧を生成するステップと、
を有する方法。
【請求項１０】
前記方法が、前記ドライブ信号を制御して前記温度補償済み目標ピックオフ電圧を維持するステップをさらに有している、請求項９記載の方法。
【請求項１１】
前記方法が、前記ピックオフセンサーの磁性材料を特定するステップをさらに有しており、
前記温度補償済み目標ピックオフ電圧を生成するステップが、ピックオフセンサーマグネットの磁界強度の変化を補償することを含んでいる、請求項９記載の方法。
【請求項１２】
前記温度補償済み目標ピックオフ電圧を生成するステップが、前記ピックオフセンサーマグネットのＢｒ係数を用いて前記目標ピックオフ電圧を調整することを含んでいる、請求項１１に記載の方法。
【請求項１３】
前記温度補償済み目標ピックオフ電圧を生成するステップが、
（Ｂｒ温度係数×ピックオフ電圧）／（周波数）＝（チューブ振幅×磁界強度×コイル長）
で表される式を用いることを含んでいる、請求項１２記載の方法。
【請求項１４】
前記温度補償済み目標ピックオフ電圧を生成するステップが、メータ設計温度と測定された前記メータ温度との差に基づいて、格納されている値を検索することを含んでいる、請求項９記載の方法。
【請求項１５】
前記しきい値限度は、ユーザが設定可能な値を含んでいる、請求項９に記載の方法。
【請求項１６】
前記しきい値限度が、前記ピックオフセンサーに基づいて前もって決められている値を含んでいる、請求項９に記載の方法。
【請求項１７】
変化する温度範囲にわたって流量メータのフローチューブ振幅を維持する方法であって、
この方法が、
フローチューブに取付けられ、前記フローチューブへ結合されている複数のピックオフセンサーの目標ピックオフ電圧を維持するように構成されているドライバへドライブ信号を加えるステップと、
流量メータ温度を測定するステップと、
前記複数のピックオフセンサーの磁性材料のＢｒ温度係数を用いて、温度補償済み目標ピックオフ電圧を生成するステップと、
測定された前記流量メータ温度とメータ設計温度との間の差がしきい値限度を超えている場合に、前記ドライブ信号を制御して前記温度補償済み目標ピックオフ電圧を維持するステップと、
を有する方法。
【請求項１８】
前記ドライブ信号を制御するステップが、前記ドライブ電力を調整することを含んでいる、請求項１７記載の方法。
【請求項１９】
前記しきい値限度は、ユーザが設定可能な値を含んでいる、請求項１７記載の方法。
【請求項２０】
前記しきい値限度が、前記ピックオフセンサーに基づいて前もって決められている値を含んでいる、請求項１７記載の方法。
【請求項２１】
前記温度補償済み目標ピックオフ電圧を生成するステップが、
（Ｂｒ温度係数×ピックオフ電圧）／（周波数）＝（チューブ振幅×磁界強度×コイル長）
で表される式を用いることを含んでいる、請求項１７記載の方法。
【請求項２２】
前記温度補償済み目標ピックオフ電圧を生成するステップが、前記メータ設計温度と測定された前記メータ温度との差に基づいて、格納されている値を検索することを含んでいる、請求項１７記載の方法。
【請求項２３】
フローチューブ（１０１、１０２）と、
前記フローチューブ（１０１、１０２）に取付けられ、ドライブ信号に応じて前記フローチューブ（１０１、１０２）を振動させるように構成されているドライバ（Ｄ）と、
前記フローチューブ（１０１、１０２）へ結合されている複数のピックオフセンサー（ＬＰＯ、ＲＰＯ）と、
メータ電子機器（２０）とを備えており、
前記メータ電子機器が、ピックオフ電圧を設定し、流量メータ温度を監視し、温度補償済みピックオフ電圧を生成し、前記ドライブ信号を制御して前記温度補償済み目標ピックオフ電圧を維持するように構成されている、流量メータ（１００）。
【請求項２４】
前記メータ電子機器（２０）が、前記ピックオフセンサー（ＬＰＯ、ＲＰＯ）の磁性材料を特定し、前記ピックオフセンサー（ＬＰＯ、ＲＰＯ）の磁界強度の変化を補償することにより前記温度補償済みピックオフ電圧を生成するように構成されている、請求項２３記載の流量メータ（１００）。
【請求項２５】
前記メータ電子機器（２０）が、前記ピックオフセンサー（ＬＰＯ、ＲＰＯ）の前記磁性材料のＢｒ係数を用いて前記目標ピックオフ電圧を調整するように構成されている、請求項２４記載の流量メータ（１００）。
【請求項２６】
前記メータ電子機器（２０）が、
（Ｂｒ温度係数×ピックオフ電圧）／（周波数）＝（チューブ振幅×磁界強度×コイル長）
で表される式を用いて温度補償済み目標ピックオフ電圧を生成するように構成されている、請求項２５記載の流量メータ（１００）。
【請求項２７】
前記メータ電子機器（２０）がメータ設計温度を設定するようにさらに構成されており、測定された前記メータ温度が前記メータ設計温度のしきい値限度内にある場合には、前記温度補償済み目標ピックオフ電圧が前記目標ピックオフ電圧とほぼ等しくなる、請求項２３記載の流量メータ（１００）。
【請求項２８】
前記メータ電子機器（２０）が、前記しきい値限度に対してユーザが設定可能な値を受け入れるように構成されている、請求項２７記載の流量メータ（１００）。
【請求項２９】
前記メータ電子機器（２０）が、前記ピックオフセンサー（ＬＰＯ、ＲＰＯ）に基づいて前記しきい値限度に対して前もって決められた値を格納するようにさらに構成されている、請求項２７記載の流量メータ（１００）。
【請求項３０】
前記メータ電子機器（２０）が、メータ設計温度と測定された前記温度との差に基づいて、格納されている値を検索し、該格納されている値を用いて前記温度補償済みピックオフ電圧を生成するようにさらに構成されている、請求項２３記載の流量メータ（１００）。